(57)【要約】【課題】平面渦巻状の球滑走路の一端を上下動させることにより球滑走路の傾斜方向を変化させ、遊技球の流下方向を変更し得るようにして、意外性に富み、遊技者の興趣を高めるような新規な遊技球誘導装置を提供する。【解決手段】遊技盤３の遊技領域３ａに設けられた平面渦巻状の球滑走路３０と、前記球滑走路３０の少なくとも一端に設けられ該球滑走路３０一端を上下動させる駆動手段３１とを備え、前記駆動手段３１を駆動させることにより前記球滑走路３０を弾性的に撓ませて該球滑走路３０の傾斜方向を変化させるようにした。【選択図】図３
2006020732.tif 000002
【特許請求の範囲】
【請求項１】
遊技盤の遊技領域に設けられた平面渦巻状の球滑走路と、前記球滑走路の少なくとも一端に設けられ該球滑走路の一端を上下動させる駆動手段とを備え、前記駆動手段を駆動させることにより前記球滑走路を弾性的に撓ませて該球滑走路の傾斜方向を変化させるようにしたことを特徴とするパチンコ機の遊技球誘導装置。
【請求項２】
前記球滑走路は線材を平面渦巻状に巻回することにより形成され、隣接する線材間を遊技球の半径より広くかつ直径より狭く設定したことを特徴とする請求項１記載のパチンコ機の遊技球誘導装置。
【請求項３】
前記球滑走路は長手方向に沿って遊技球を保持する溝部を有する帯板材により形成したことを特徴とする請求項１記載のパチンコ機の遊技球誘導装置。
【請求項４】
前記駆動手段は前記球滑走路の下面に固着するリンク部材と、前記リンク部材を可動させる電気的駆動源と、前記電気的駆動源に固着され前記リンク部材に連繋する偏心カムとにより構成したことを特徴とする請求項１乃至３のいずれかに記載のパチンコ機の遊技球誘導装置。
【請求項５】
前記球滑走路の一端と連なるように入賞口を設けたことを特徴とする請求項１乃至４のいずれかに記載のパチンコ機の遊技球誘導装置。
【発明の詳細な説明】
【技術分野】
【０００１】
本発明はパチンコ機の遊技盤面を流下する遊技球を誘導することにより遊技の興趣を増大させる遊技球誘導装置に関するものである。
【背景技術】
【０００２】
従来、遊技球の流下態様を興趣あるものとするために、遊技盤のほぼ中央に設けられる表示装置の側方に位置して、中空通路内に螺旋体を設けて遊技球がその螺旋体に沿って通路内を回転しながら流下するようにしたものがある（例えば、特許文献１参照。）。
【０００３】
また、弾球遊技機の振分け装置として中央部が低くなる旋回皿に複数の振分け口を設け、旋回皿を移動する遊技球に高速回転する回転力を与え、旋回皿の傾斜によって遊技球が螺旋状に回転しながら複数の振分け口のいずれかに落下するようにしたものがある（例えば、特許文献２参照。）。
【特許文献１】特開２００３−２９０４６８号公報
【特許文献２】特開平８−１０４０１号公報
【発明の開示】
【発明が解決しようとする課題】
【０００４】
しかしながら、特許文献１で示した螺旋通路は、遊技球が螺旋体に沿って常に一定方向に回転しながら流下するだけで、流出口も一定であるため、すぐにマンネリ化してしまい、興趣に富んだものと言えず遊技者に飽きられしまうという問題があった。
【０００５】
また、特許文献２に示した振分け装置は、旋回皿を流下する遊技球に回転力を与えることで、遊技者にスピード感を与えることはできるものの、遊技球の流下方向は常に一定であり、いずれかの振分け口に導かれるのが決まっているため、意外性がなく遊技が単調となり遊技者の興趣を高めることができなかった。
【０００６】
そこで、本発明は上記課題を解決すべくしてなされたもので、その目的は平面渦巻状の球滑走路の少なくとも一端を上下動させることにより球滑走路の傾斜方向を変化させ、遊技球の流下方向を変更し得るようにして、意外性に富み、遊技者の興趣を高めるような新規な遊技球誘導装置を提供することである。
【課題を解決するための手段】
【０００７】
かかる目的を達成するため、請求項１記載の発明は、遊技盤の遊技領域に設けられた平面渦巻状の球滑走路と、前記球滑走路の少なくとも一端に設けられ該球滑走路の一端を上下動させる駆動手段とを備え、前記駆動手段を駆動させることにより前記球滑走路を弾性的に撓ませて該球滑走路の傾斜方向を変化させるようにしたことを特徴とする。そして、球滑走路の傾斜方向が変化することにより遊技球の流下方向が、内向き方向又は外向き方向に変化するようにした。
【０００８】
請求項２記載の発明は、請求項１記載の発明において、前記球滑走路は線材を平面渦巻状に巻回することにより形成され、隣接する線材間を遊技球の半径より広くかつ直径より狭く設定したことを特徴とする。
【０００９】
請求項３記載の発明は、請求項１記載の発明において、前記球滑走路は長手方向に沿って遊技球を保持する溝部を有する帯板材により形成したことを特徴とする。
【００１０】
請求項４記載の発明は、請求項１乃至３のいずれかに記載の発明において、前記駆動手段は前記球滑走路の下面に固着するリンク部材と、前記リンク部材を可動させる電気的駆動源と、前記電気的駆動源に固着され前記リンク部材に連繋する偏心カムとにより構成したことを特徴とする。前記電気的駆動源の駆動により前記球滑走路の端部を上下動させるようにした。
【００１１】
請求項５記載の発明は、請求項１乃至４のいずれかに記載の発明において、前記球滑走路の一端と連なるように入賞口を設けたことを特徴とする。前記入賞口は球滑走路の少なくとも一端に設けるようにすればよい。
【００１２】
前記球滑走路の内方端及び外方端に対応して入賞口を設け、前記入賞口のいずれか一方を遊技者に有利な特典を付与する入賞口とするのが好ましい。
【００１３】
また、前記遊技盤に図柄が変動表示される変動表示部を設けると共に、変動表示部の表示を変動させる始動入賞口を設け、前記始動入賞口の上方に位置して遊技球誘導装置を配設し、球滑走路の一端から流出する遊技球を前記始動入賞口に向って放出するようにして該始動入賞口に入賞しやすくするのがよく、遊技者により興趣を持たせることができる。
【００１４】
さらに、前記遊技球誘導装置は、常態で遊技球が入賞し得ないように囲まれた入賞領域内に設けられ、入賞領域は所定条件により一部を開放する可動部材を設けると共に、入賞領域に特定入賞領域及び一般入賞領域を形成し、入賞領域に導かれた遊技球を遊技球誘導装置により特定入賞領域又は一般入賞領域に導くようにするのが好ましい。ここでいう「特別入賞領域」とは特に可動部材が所定時間又は所定個数の入賞球が入賞するまで開閉する特別遊技状態において、該「特別入賞領域」に入賞したことを条件に再度可動部材を開閉させることができる入賞領域である。
【発明の効果】
【００１５】
本願発明によれば、平面渦巻状の球滑走路の少なくとも一端を上下動させる駆動手段を設け、前記駆動手段を駆動させることにより前記球滑走路を弾性的に撓ませて該球滑走路の傾斜方向を変化させるようにしたので、遊技に意外性をもたせて遊技者の興趣を増大させることができる。また、球滑走路の内方端と外方端に対応する入賞口を設け、いずれか一方を遊技者に有利な特典を付与する入賞口とすることで、遊技者の興趣を強く惹きつけることができ、遊技の興趣を高める上で極めて重要な効果を奏し、遊技者は遊技の面白味を充分満喫することができる。
【実施例１】
【００１６】
以下に本発明の一実施例を図面と共に説明する。図１はパチンコ機の正面図である。パチンコ機は機枠１の前面に前面枠２が開閉自在に装着され、前面枠２には取付枠を介して遊技盤３が着脱自在に装着されている。また、前面枠２の前面に遊技盤３が視認し得るように透明板扉枠４が開閉自在に設けられ、その下方に打球供給皿５を装着した前面板６が蝶着されている。そして、その下方に打球供給皿５からの余剰球を貯留する余剰球受皿７が設けられ、その側方に打球発射用の操作ハンドル８が配設されている。
【００１７】
前記遊技盤３の前面にはガイドレール１０が敷設され、該ガイドレール１０により遊技領域３ａが形成される。そして、遊技領域３ａの略中央に中央役物としての変動入賞装置１１が設けられ、該変動入賞装置１１の下方に複数の特別入賞口１２ａ，１２ｂが設けられている。また、遊技領域３ａには一般入賞口１４や、打球の流下方向を変える風車１５および障害釘１６が配設され、遊技領域３ａの下端部に特別入賞口１２ａ，１２ｂ及び前記入賞口１４に入賞しなかったパチンコ球を排出するアウト口１７が設けられている。前記特別入賞口１２ａ，１２ｂは後述する変動入賞装置１１の可動片１８を開放させる入賞口であり、それぞれに検出スイッチ１３が設けられ、中央の特別入賞口１２ａに遊技球が入賞すると可動片１８が２回開閉し、左右の特定入賞口１２ｂに遊技球が入賞すると可動片１８が１回開閉するようになっている。
【００１８】
前記変動入賞装置１１は、図２乃至図５に示すように遊技盤３の表面に取付ける取付板２０を有し、該取付板２０のほぼ中央に窓開口２１が形成され、窓開口２１に連通して入賞領域を構成する凹室２７が形成されている。そして、窓開口２１の上方部に沿って飾り部材２２が突設されると共に、窓開口２１の両側縁部及び下側部に沿って下枠２３が突設され、飾り部材２２と下枠２３との間には一対の可動片１８が開閉自在に設けられ、常態でパチンコ球が凹室２７に入球できないようにしている。前記下枠２３には、凹室２７に臨むように可動片１８が受けた遊技球を凹室２７の後方に導く球受棚２８が緩やかに後方に下傾して設けられている。そして、下側部に位置する下枠２３には一対の突片２４によって特定入賞領域２５が形成され、該特定入賞領域２５の左右両側の領域が一般入賞領域２６として形成されている。特定入賞領域２５には入賞球検出器２５ａが設けられ、特定入賞領域２５に遊技球が入賞して入賞球検出器２５ａにより検知されると、所謂「大当り」となり可動片１８を開閉させて多量の入賞球が発生する遊技状態となる。前記可動片１８は軸部後端にリンク部材を介してソレノイドと連繋して、ソレノイドの駆動により開閉動するようにしている。
【００１９】
前記凹室２７には球誘導装置２９が設けられ、遊技球を特定入賞領域２５または一般入賞領域２６に導くようにしている。球誘導装置２９は、図４に示すように平面渦巻状の球滑走路３０と該球滑走路３０の少なくとも一端（本実施例において外方端３０ａ）を上下動させる駆動手段３１とにより構成されている。球滑走路３０は長さ方向に遊技球が零れないように保持する浅い溝を有し、ほぼ遊技球と同径幅の合成樹脂製の帯板材３２を平面渦巻状に巻回して形成される。そして、球滑走路３０の内方端３０ｂは凹室２７の底部に突設した軸部１９に固設され、外方端３０ａの高さ位置を内方端３０ｂの高さ位置より高くしたり低くしたりすることで、球滑走路３０の傾斜方向が変わり、遊技球が外方端３０ａ又は内方端３０ｂに向かって流下し得るようにしている。球滑走路３０は、平面視して帯板材３２が重合しないように渦巻状の隙間を有して形成することにより、外方端３０ａの高さ位置を内方端３０ｂより上方又は下方に位置させることができ、球滑走路３０の傾斜方向を変化させ、球滑走路３０の全体形状をすり鉢状としたり山形状とすることができる。そして、駆動手段３１の駆動により、球滑走路３０の外方端３０ａと内方端３０ｂとの高さ位置を変化させることで、球滑走路３０が弾性的に撓み該球滑走路３０の傾斜方向を変化させ、遊技球の流下方向が変化するようにしている。また、前記球受棚２８の後端は、球滑走路３０の中央より後方に位置して設けられ、球受棚２８から落下する遊技球は球滑走路３０の中央より後側で受けられる。なお、帯板材３２は必ずしも遊技球と同径幅を有することはなく、遊技球の球心を支持する幅を有すればよい。また、凹室２７の後側面を鏡面として該鏡面に球滑走路３０の奥方を転動する遊技球を映し出すようにして、遊技者が奥方を転動する遊技球を明確に視認できるようにしてもよい。さらに、凹室２７の後側面をマジックミラーとすると共にその後面にランプ，ＬＥＤ等の照明具を配設し、通常時に照明具を点灯して華やかさを演出し、所定条件により照明具を消灯し、マジックミラーを鏡面化して球滑走路３０の奥方を転動する遊技球を遊技者に明確に視認させるようにしてもよい。
【００２０】
前記駆動手段３１は、電気的駆動源としてのステッピングモータ３３とリンク部材３４とカム部材３６とにより構成される。ステッピングモータ３３のモータ軸には、係合ピン３５を偏心して設けたカム部材３６が固設されている。リンク部材３４は、一端に設けた軸ピン３７を球滑走路３０の外方端３０ａの下面に垂下した取着片３８の透孔３９に係合させている。そして、凹室２７の底部に開設したガイド孔４０を介して凹室２７の下面側でリンク部材３４の他端の軸孔４１にカム部材３６の係合ピン３５に係合して、ステッピングモータ３３の駆動により球滑走路３０の外方端３０ａが上下方向に移動するようにしている。なお、カム部材３６の回転又はカム部材３４の上下動を検知し、外方端３０ａの最も高い位置と最も低い位置とを検知する検知スイッチを設けるのが好ましい。
【００２１】
次に変動入賞装置１１の作用を説明する。操作ハンドル８を操作することによって、打球供給皿５の遊技球を遊技領域３ａに打込み、特別入賞口１２ａ，１２ｂのいずれかに入賞して検出スイッチ１３で検知されることにより、図２鎖線に示すように可動片が１回又は２回の開閉動作を行う。そして、その開閉動作の間に可動片１８に遊技球が受けられると、その遊技球は球受棚２８から遊技球誘導装置２９に導かれる。このとき、遊技球誘導装置２９の球滑走路３０はステッピングモータ３３の駆動により外方端３０ａが常に上下動し、球滑走路３０の傾斜方向が変化している。そして、可動片１８から球受棚２８に導かれた遊技球は、球受棚２８の後端部が球滑走路３０の中央より後方側に位置するため、球滑走路３０の中央より後方側に落下して受けられる。その球受棚２８からの落下タイミングにより遊技球の流下方向が変化する。つまり、球滑走路３０の外方端３０ａが、図５に示すように内方端３０ｂより下方に下がった状態のときに遊技球が球受棚２８から落下した場合には、球滑走路３０に受けられた遊技球は、図４矢印イ方向の外方端３０ａに向かって外向き方向に回転しながら球滑走路３０を流下し、外方端３０ａから一般入賞領域２６に向かって誘導される。また、球滑走路３０の外方端３０ａが、図３に示すように内方端３０ｂより上方に上がった状態のときに遊技球が球受棚２８から落下した場合には、遊技球は図４矢印ロ方向の内方端３０ｂに向かって内向き方向に回転しながら球滑走路３０を流下し、内方端３０ｂから特定入賞領域２５に向かって誘導される。
【００２２】
そして、遊技球が特定入賞領域２５に入賞して入賞球検出器２５ａに検出されると、遊技者が多量の賞球を獲得し得る「大当り」状態となり、可動片１８が所定回数開閉を繰り返し入賞領域に遊技球を導くようにしている。そして、所定個数（例えば１０個）の遊技球が特定入賞領域２５及び一般入賞領域２６に入賞することを１ラウンドとして、特定入賞領域２５に遊技球が入賞したことを条件として所定ラウンド（例えば１６ラウンド）可動片１８が開閉する特別遊技状態を継続させる。この継続時において、遊技球誘導装置２９は、最初ステッピングモータ３３を駆動して、球滑走路３０の外方端３０ａを上動させた状態で停止して球滑走路３０の全体形状をすり鉢状とし、内方端３０ｂに向かって遊技球を導くようにしている。そして、球滑走路３０の内方端３０ｂから特定入賞領域２５に導かれて入賞球検出器２５ａが遊技球の入賞を検知すると、ステッピングモータ３３が駆動して球滑走路３０の外方端３０ａを下動させて球滑走路３０の全体形状を山形状とし、遊技球を外向き方向に流下させ、球滑走路３０の外方端３０ａから一般入賞領域２６に導くようにしている。そして、所定個数の入賞球がカウントセンサ（図示せず）により検出されると、一旦可動片１８の開閉動作を停止し、遊技球の入賞領域への受入を阻止する。そして、特定入賞領域２５への入賞を条件として、再度可動片１８の開閉を繰り返すと共に遊技球誘導装置２９のステッピングモータ３３を駆動して、外方端３０ａを上動させ球滑走路３０の内方端３０ｂが外方端３０ａより低くなるようにして、特定入賞領域２５へ入賞し易くしている。遊技中に、球滑走路３０の外方端３０ａを上動させ球滑走路３０が内方に向かい漸次低くなるようにすることにより、球滑走路３０は上方が拡開した浅いすり鉢状となり、球滑走路３０に落下して受けられた遊技球は、球滑走路３０で例え跳ねたとしても球滑走路３０の外方に飛び出すことはなく、内方に向かって転動するため、内方端３０ｂから流出することになる。逆に球滑走路３０の外方端３０ａが内方端３０ｂより下方に下がって球滑走路３０の全体形状が山形になった状態で、球受棚２８から球滑走路３０に導かれた遊技球は、そのまま球滑走路３０を周回して外方端３０ａから流出したり球滑走路３０が撓んで跳ねて落下したりする等様々な態様を示しながら一般入賞領域２６に導かれる。
【００２３】
このように、球滑走路３０は弾性を有して形成されることから、球受棚２８から落下する遊技球が球滑走路３０で跳ねたり球滑走路３０を撓ませたりしながら意外性のある動きを呈し、遊技者の興趣を高めることができる。また、駆動手段３１を常に可動させ球滑走路３０の傾斜方向を変化させるようにしたとき、球滑走路３０の上面に複数の遊技球が転動していると、ステッピングモータ３３の駆動により球滑走路３０の傾斜方向が変化することで、球滑走路３０上の遊技球同士がぶつかり弾き飛ばされたり、ぶつかった勢いで傾斜方向と逆に上昇したりすることもある。特に球滑走路３０が内向き傾斜から外向き傾斜になる場合には、球滑走路３０の内方側を流下する遊技球の流速が速いため、急に傾斜方向が変化しても逆流する力が勝り、そのまま内方端３０ｂから流出することがあり、予測できない遊技球の動きに遊技者の興趣は向上する。さらに遊技を興趣あるものとするために、球滑走路３０を構成する帯板材３２の遊技球の流下に干渉する位置に球滑走路３０を流下する遊技球の流下に変化を与える障害物を設けるようにしてもよい。例えば、障害物として図４に示すように僅かな窪み部３０ｃを設けて、球滑走路３０の傾斜角度によっては、球滑走路３０を流下する遊技球が窪み部３０ｃで一旦停留し球滑走路３０を流下する他の遊技球に押されて流下を再開したり、球滑走路３０の傾斜角度がきつくなることにより流下を再開したり、意外性のある動きにすることができる。また、障害物として僅かな突部３０ｄを設けて、球滑走路３０を流下する流速により、突部３０ｄによって何の影響も受けずにそのまま流下したり突部３０ｄによって流路が変化して球滑走路３０の内方又は外方に落下したりするので、遊技者は遊技球の動きを十分に楽しむことができる。なお、前記窪み部３０ｃ，突部３０ｄを帯板材３２の中央にもうけるようにしたが、球滑走路３０を流下する遊技球の流速により干渉するように帯板材３２の幅方向にずらして設けるようにしてもよい。さらに、障害物を設ける場所及び障害物の個数，形状は限定されるものではない。また、窪み部３０ｃ，突部３０ｄを球滑走路３０上に混在させるようにしてもよい。
【００２４】
図６及び図７は球滑走路の他の実施例を示し、前記実施例と異なる点は球滑走路を構成する通路材が異なる点であるため、同じ構成要素には同一符号を付して説明する。この実施例において、球滑走路３０は図６に示すようにステンレスの線材４２を平面視して渦巻状に巻回して形成され、隣接する線材４２間を遊技球の半径より広くかつ直径より狭く設定し、隣接する線材４２間に遊技球が支持されて流下するようにしている。本実施例によれば、球滑走路３０を線材４２により形成することで、前記実施例の帯板材３２に比してより球滑走路３０が弾性的に撓み、球滑走路３０上に落下する遊技球が跳ねたり球滑走路３０を撓ませたりしながら流下し、遊技者はその遊技球の動きの面白さに興趣が高められる。また、この実施例の駆動手段３１は線材４２の外方端３０ａに設けられている。線材４２の外方端３０ａには外方にほぼ水平にコ字状に屈曲した軸部４３を形成し、凹室２７の底部に形成したガイド孔４０を介してリンク部材３４の透孔６１に嵌挿すると共にリンク部材３４の他端はステッピングモータ３３のモータ軸に固着したカム部材３６の係合ピン３５と連繋され、モータ３３の駆動によりカム部材３６が回転し、リンク部材３４を介して球滑走路３０の外方端３０ａを上下動させることにより球滑走路３０の傾斜方向が変化して、遊技球の流下方向が変化するようにしている。なお、球滑走路３０の端部を常に上下動させる場合には、電気的駆動源は回転を制御し得るステッピングモータではなく普通の安価なモータでよく、さらにソレノイドであってもよい。
【００２５】
図８は駆動手段の他の実施例を示したものである。この実施例の駆動手段は、球滑走路３０の外方端３０ａに固着したラック４４を凹室２７側壁に上下方向に摺動自在に設け、正逆モータ４６に設けたピニオン４５をラック４４に係合させて、正逆モータ４６を駆動させることにより、球滑走路３０の外方端３０ａを上下動させて球滑走路３０の傾斜方向を変化させ遊技球の流下方向を変化させるようにしてもよい。このラック４４とピニオン４５の構成を採用することにより球滑走路３０の端部の上下方向の移動範囲を容易に大きくすることができるため、球滑走路３０をより立体的にすることができ、その変化の大きさにより球滑走路３０の傾斜角度が変化し、遊技球の流速を変化させることができる。つまり、球滑走路３０の内方端３０ｂと外方端３０ａの高低差を少なくすると遊技球は球滑走路３０をゆっくり内向き方向又は外向き方向に流下させることができ、逆に球滑走路３０の内方端３０ｂと外方端３０ａの高低差を大きくすると、遊技球は球滑走路３０を速く流下することになる。このように、球滑走路３０の立体形状を変化させることで、遊技球の流下方向及び流速が変化し、遊技者に特定入賞領域２５への入賞の期待感を抱かせると共に遊技の興趣を高めることができる。
【００２６】
また、駆動手段は必ずしも電気的駆動源の駆動により球滑走路３０を傾動させることはなく、図９及び図１０に示すように球滑走路３０の外方端３０ａに常態で外方端３０ａ側が下傾するシーソー材４７を凹室２７の底部又は側壁に軸支して傾動自在に設けるようにしてもよい。シーソー材４７は一端を球滑走路３０の外方端３０ａの側方に枢支し、他端に遊技球が貯留される貯留部として遊技球の径より小径の貫通孔４８を形成している。そして球受棚２８から遊技球が落下して、遊技球が貫通孔４８に嵌ることでシーソー材４７が傾動し、球滑走路３０の外方端３０ａが上動して球滑走路３０の傾斜方向を変化させ、遊技球が内向き回転で内方端３０ｂに向かうようになり、特定入賞領域２５に導くようにすることができる。このとき、遊技球１個が貫通孔４８に貯留されることにより、シーソー材４７がゆっくり傾動するようにバランスをとるのが好ましい。なお、貫通孔４８に貯留された遊技球はセンサにより検知され、所定時間経過後に傾動したシーソー材４７の貫通孔４８の下方に設けたソレノイド６３が作動することにより貫通孔４８の遊技球が下方から押出され、遊技球の荷重から解放されたシーソー材４７が復帰傾動して、球滑走路３０の外方端３０ａが下動し遊技球が外向き回転で外方端３０ａに向かい一般入賞領域２６に向かって流出する。
【００２７】
なお、遊技球誘導装置２９に遊技球を導く手段として可動片１８で受けた遊技球を球受棚２８から落下させるようにしたが、凹室２７の上壁に遊技球の重さに優る吸着力を持った複数個の磁石を傾斜方向に沿ってＮ極とＳ極とが交互になるように、球滑走路３０の中心を越えた位置まで列設し、凹室２７の上壁下面に遊技球がぶら下がり得るようにして誘導するようにしてもよい。このようにすると、可動片１８で受けられた遊技球は、磁石の磁力により凹室２７の上壁下面をぶら下がって宙吊状態にて凹室２７後方に移動し、磁力から解放されたときに落下して球滑走路３０で受けられることになる。このように磁石を凹室２７の上壁に設けたことにより、遊技球が垂れ下がった状態にて移動し、今までにない特有な動きを遊技者に見せることができる。また、複数個の磁石をＮ極とＳ極とが交互になるように列設したことにより磁力の強い箇所が定間隔でできることから、遊技球はその磁力に吸着されステップ状の動きを伴って移動し、さらに特有の動きとなり得る。なお、磁石は電磁石としてもよく、電磁石とすることで遊技球を球滑走路３０の任意の位置に落下させることができる。
【００２８】
また、実施例において、駆動手段３１を球滑走路３０の外方端３０ａに設けるようにしたが、図１１に示すように球滑走路３０の内方端３０ｂに設けるようにしてもよい。このとき、球滑走路３０の外方端３０ａは凹室２７の底部から１ｃｍほど突設した軸部１９に固定されている。なお、この実施例において、前記実施例で示した構成と同じ構成には同一符号を付して説明する。電気的駆動源としてのステッピングモータ３３を駆動し、カム部材３６を回転させることで偏心して設けた係合ピン３５によりリンク部材３４が上下動し、球滑走路３０の内方端３０ｂを上下動させる。そして、球滑走路３０の内方端３０ｂを外方端３０ａより高くしたり低くしたりすることにより、球滑走路３０の傾斜方向を変化させ遊技球の流下方向を変更し、球滑走路３０上の遊技球を特定入賞領域２５に導いたり一般入賞領域２６に導いたりすることができる。また、球滑走路３０の内方端３０ｂ及び外方端３０ａの各々に該端部を上下動させる駆動手段を設けるようにしてもよく、球滑走路３０の両端に駆動手段を設けることで球滑走路３０をより複雑な傾動状態とすることができ、意外性のある動きに遊技者の興趣を高めることができる。
【００２９】
図１２及び図１３は球滑走路の内方端に駆動手段を設けた他の実施例を示している。この実施例が前記実施例と異なる点は、球滑走路３０の内方端３０ｂと連なるように入賞口として球入口４９を設けた点と球入口４９に連通する通路部５０を設けた点である。この実施例は、平面渦巻状の球滑走路３０を帯板材３２により形成し、内方端３０ｂに球入口４９を開設している。そして、通路部５０の終端側方に球出口５１を形成している。球出口５１には遊技球を側方に導くガイド片５２が設けられている。そして、通路部５０の下端には横長孔５３を有する係合部５４が形成され、モータ６４の軸に固着されるクランプ状のカム５５が連繋される。また、球滑走路３０の外方端３０ａには下方にＬ型に屈曲した差込片５６が形成され、凹室２７の底部に形成した挿入部５７に差込んで外方端３０ａを固定するようにしている。このように構成される遊技球誘導装置２９は、前後に分割成形されたベース体５８ａ，５８ｂに挟まれて装着される。ベース体５８ａ，５８ｂには、筒状の通路部５０を挟着する半割溝が形成されると共に係合部５４が摺動する摺動溝５９が切削されており、後ベース体５８ｂには球出口５１に連通する球通路が形成されると共に球検知センサを設けている。また、前ベース体５８ａにはモータ６４の収納部が形成され、上面前端部に遊技球を所定の位置に流出させるようにする誘導部を凹溝状に形成している。
【００３０】
このように構成される遊技球誘導装置２９は、前記実施例と同様にモータ６４を常に駆動させて球滑走路３０の内方端３０ｂを上下動させて、内方端３０ｂが外方端３０ａより高い位置となるようにしたり低い位置となるようにしたりしている。そして、可動片１８の開閉のタイミングにより凹室２７に導かれた遊技球が球滑走路３０の内方端３０ｂに導かれて球入口４９に入賞すると「大当り」となり、可動片１８が連続して開閉する。このとき、球滑走路３０の内方端３０ｂを下動させた状態でモータ６４を停止させ、球滑走路３０の全体形状を図１２実線に示すように遊技球を受入れやすいすり鉢状とすればよい。そして、所定個数の遊技球が球入口４９に入賞して球通路６５に導かれ球検知センサ６６で検知されると、一旦モータ６４を駆動して球滑走路３０の内方端３０ｂを上動させて、すぐにモータ６４を駆動させて内方端３０ｂを下動させ遊技球を受入れる状態とし、所定ラウンド繰り返すようにすればよい。また、内方端３０ｂが上動した位置で球滑走路３０に受けられた遊技球や球滑走路３０から落下した遊技球のように、球入口４９に入賞しなかった遊技球は前ベース体５８ａの前端から遊技盤３面に放出される。
【００３１】
次に、遊技球誘導装置２９を入賞装置Ａに備えた実施例を示す。この実施例の遊技球誘導装置２９は図１１で示したように球滑走路３０の内方端３０ｂと連なるように入賞口となる球入口４９が設けられ、外方端３０ａに図２乃至図４で示した駆動手段３１が設けられている。このため、駆動手段３１の詳細な説明は省略する。図１４に示すように遊技盤３には、文字等の図柄を変動表示する変動表示部６０及び変動表示部６０を変動させるチューリップタイプの始動入賞口６２が設けられている。そして、遊技球が始動入賞口６２に入賞し検知センサ６２ａにより検知されると変動表示部６０の表示を変動させ、この変動表示部６０の図柄が例えば「７７７」で揃うと「大当り」となり、可動片１８を所定時間又は球入口４９に所定個数入賞するまで開閉動作を継続する。このとき、球滑走路３０は外方端３０ａを駆動手段３１により上動させて内向き傾斜とし、遊技球を球入口４９に向かって導く状態としている。そして、可動片１８で受けられた遊技球は球受棚２８から球滑走路３０に導かれて内向き方向に旋回しながら内方端３０ｂに向かって流下して球入口４９に落下し、球出口５１から流出して検知センサ６６によりカウントされる。所定個数（例えば１０個）の入賞球がカウントされると可動片１８を閉鎖させると共にステッピングモータ３３を駆動して球滑走路３０の外方端３０ａを下動させ、遊技球が球入口４９から入賞しないようにして、過剰な入賞を阻止することができる。このとき、球滑走路３０に遊技球が乗っていても、ステッピングモータ３３を駆動して球滑走路３０の傾斜方向が変化することにより、遊技球は外方端３０ａに向かって流下して凹室２７から遊技盤３面に放出される。そして、タイミングよく凹状の誘導部６７に導かれた遊技球は始動入賞口６２に向かって流出する。このように、従来の大入賞口のように開放した扉板に遊技球を受けるだけでないため、遊技者は遊技球が旋回しながら球滑走路３０を流下し球入口４９に導かれるまでの過程を楽しむことができる。
【００３２】
また、遊技球誘導装置２９の使い方として、前記始動入賞口６２への入賞確率を変化させる振分け装置として使用してもよく、遊技球誘導装置２９を始動入賞口６２の上方に位置して設けると共に、球滑走路３０の内方端３０ｂから流出する遊技球が始動入賞口６２に向かって流下する位置に設け、常態で駆動手段を駆動させて球滑走路３０を傾動させるようにすればよい。このようにすることにより、球滑走路３０に導かれた遊技球は、球滑走路３０の外方端３０ａから放出されて遊技盤３面を流下するか、球滑走路３０の内方端３０ｂから放出されて始動入賞口６２に向かって流下し高い確率で始動入賞口６２に入賞する。また、変動表示部６０の図柄が揃って「大当り」となり、この「大当り」が終了後に、次の当りが確実ないわゆる「確率変動」状態又は変動表示部６０を所定回数（例えば１００回）変動させる間大当りの確率が高くなるいわゆる「時間短縮」状態の場合には、球滑走路３０の内方端３０ｂを外方端３０ａより下方に位置させる時間を長くして始動入賞口６２への入賞確率を高くするのが好ましい。このように構成することにより、始動入賞口６２への入賞確率を高めながら遊技球の流下態様を楽しむことができる。そして、「大当り」後又は「時間短縮」終了後は、当初のように駆動源を駆動して常に球滑走路３０の傾斜方向を変化させるようにすればよい。
【００３３】
なお、実施例において球滑走路３０は平面視して、内方から外方に向かうに従い漸次拡径する円状渦巻きとしたが、球滑走路３０は平面視して楕円形状であっても長円形状としても何ら問題となることはなく、緩やかな円弧部又は直線部で遊技球の流下速度が変化し、遊技球の動きに変化をもたらすことができ、遊技者はその遊技球の動きにより興趣を示すことになる。
【図面の簡単な説明】
【００３４】
【図１】パチンコ機の正面図である。
【図２】変動入賞装置の正面図である。
【図３】変動入賞装置の側断面図である。
【図４】図２の平面断面図である。
【図５】図３の作用を示す説明図である。
【図６】球滑走路の他の実施例を示す平断面図である。
【図７】（イ）、（ロ）は図６の作用を示す説明図である。
【図８】駆動手段の他の実施例を示す正面図である。
【図９】駆動手段の他の実施例を示す説明図である。
【図１０】図９の側断面図である。
【図１１】他の駆動手段を示す側断面図である。
【図１２】他の遊技球誘導装置を示す分解斜視図である。
【図１３】図１２の側面図である。
【図１４】遊技球誘導装置を入賞装置を備えた遊技盤の正面図である。
【符号の説明】
【００３５】
３                  遊技盤
３ａ                遊技領域
２９                遊技球誘導装置
３０                球滑走路
３０ａ              外方端
３０ｂ              内方端
３１                駆動手段
３２                帯板材
３３                ステッピングモータ（電気的駆動源）
４２                線材
４６                正逆モータ（電気的駆動源）
【図１】
2006020732.tif 000003
【図２】
2006020732.tif 000004
【図３】
2006020732.tif 000005
【図４】
2006020732.tif 000006
【図５】
2006020732.tif 000007
【図６】
2006020732.tif 000008
【図７】
2006020732.tif 000009
【図８】
2006020732.tif 000010
【図９】
2006020732.tif 000011
【図１０】
2006020732.tif 000012
【図１１】
2006020732.tif 000013
【図１２】
2006020732.tif 000014
【図１３】
2006020732.tif 000015
【図１４】
2006020732.tif 000016